(57)【要約】【課題】襖で間仕切られた２部屋の一方の部屋が明るく、他方の部屋が暗い場合に、その暗室側の部屋でも引手の位置を容易に確認できるようにすることである。【解決手段】襖１に形成された引手取付孔２に嵌合される筒部１２の一端開口を底１１で閉塞し、筒部１２の他端開口に外向きのフランジ１３を設ける。底１１に孔１４を形成し、その孔１４から明室側の部屋の光を暗室側の部屋に漏洩させるようにして、引手の位置を認識させる。【選択図】図２
2011184921.tif 000002
【特許請求の範囲】
【請求項１】
襖に形成された引手取付孔に嵌合される筒部と、その筒部の一端開口を閉塞する底と、前記筒部の他端から外側方に向くフランジとを有する襖用の引手において、
前記底に光の漏洩を許容する透光部を設けたことを特徴とする襖用の引手。
【請求項２】
前記透光部が、孔からなる請求項１に記載の襖用の引手。
【請求項３】
前記底の内表面に、防眩性を有する透光性シートを重ねた請求項１又は２に記載の襖用の引手。
【請求項４】
前記筒部の内側に外向きフランジを一端に有する胴を嵌合し、その胴によって透光性シートの外周部を押えるようにした請求項３に記載の襖用の引手。
【請求項５】
前記筒部が、円形、角形、楕円形の一種からなる請求項１乃至４のいずれかの項に記載の襖用の引手。
【発明の詳細な説明】
【技術分野】
【０００１】
この発明は、襖に取付けられる引手に関する。
【背景技術】
【０００２】
襖に取付けられる引手として、特許文献１に記載されたものが従来から知られている。その特許文献１に記載された襖用の引手においては、底を有する筒部の開口端に外向きのフランジを一体に設けたカバーと、そのカバーの筒部内に嵌合された底板と、カバーの開口端から筒部内に嵌合されて底板を抜け止めし、その挿入方向の後端に外向きの化粧フランジを設けた円筒形の胴からなり、上記胴にカバーの筒部を貫通する筒状のバーリングを設けて、胴とカバーを一体化している。
【０００３】
上記の構成からなる引手の取付けに際しては、二つの引手を一組とし、その一組の引手を襖の表裏両面から、その襖に形成された引手取付孔内に嵌合し、バーリングに挿入される釘の打込みによって、一組の引手を固定するようにしている。
【先行技術文献】
【特許文献】
【０００４】
【特許文献１】特開２００２−１２１９３４号公報
【発明の概要】
【発明が解決しようとする課題】
【０００５】
ところで、上記従来の襖用の引手においては、底を有するカバーが、金属板のプレス成形品あるいは合成樹脂の成形品とされて遮光性を有しているため、夜間において、襖で間仕切られた２部屋の一方の部屋にのみ照明灯が点灯され、他方の部屋が暗室とされている場合、暗室側の部屋では引手の位置を確認することができず、襖の開放に手間がかかるという不都合がある。
【０００６】
また、引手の位置の確認は手探りによるため、襖を汚し、ときには、襖を突き破って破損させる虞がある。
【０００７】
この発明の課題は、襖で間仕切られた２部屋の一方の部屋が明るく、他方の部屋が暗い場合に、その暗室側の部屋でも引手の位置を容易に確認できるようにすることである。
【課題を解決するための手段】
【０００８】
上記の課題を解決するために、この発明においては、襖に形成された引手取付孔に嵌合される筒部と、その筒部の一端開口を閉塞する底と、前記筒部の他端から外側方に向くフランジとを有する襖用の引手において、前記底に光の漏洩を許容する透光部を設けた構成を採用したのである。
【０００９】
上記のように、底に透光部を設けることにより、襖で間仕切られた２部屋の一方の部屋が明るく、他方の部屋が暗い場合に、明室側の部屋の明かりが透光部から暗室側の部屋に漏洩するため、暗室側の部屋において、その透光部位から引手の位置（所在）を容易に確認できる。
【００１０】
このため、手探りによる引手の位置の確認を不要とすることができ、襖の汚損や破損を防止することができる。
【００１１】
ここで、透光部は、孔からなるものであってもよく、あるいは、透光性を有する樹脂あるいは光拡散性樹脂で底を形成して、底そのものを透光部としてもよい。
【００１２】
透光部として孔を採用する場合において、底の内表面に、防眩性を有する透光性シートを重ね合わせることにより、孔を通して暗室側の部屋に採り入れられる光を和らげることができるため、上記透光部からの入射光が目障りになるのを防止することができる。
【００１３】
この場合、透光性シートは、底の内表面に接着してもよく、あるいは、筒部の内側に外向きフランジを一端に有する胴を嵌合し、その胴で透光性シートの外周部を押えるようにしてもよい。胴を用いる透光性シートの取付けにおいては、接着による取付けに比較して、引手の組立てを容易とすることができる。
【００１４】
この発明に係る引手において、規則正しく配列された複数の孔を透光部とする場合、筒部が円形であると、引手取付孔に一組の引手を取付ける際、引手の向きが一定せず、孔の位置にズレが生じて明室側の部屋の光を暗室側の部屋に取り入れられなくなるため、一組の引手は相対的な位置関係を保って正確に取付けるようにする。
【００１５】
この場合、筒部を楕円形または角形とすると、取付けの向きが一定し、その取付けにより複数の孔は一致するため、一組の引手を簡単に取付けることができる。
【発明の効果】
【００１６】
上記のように、この発明に係る引手においては、底に透光部を設けたことにより、襖で間仕切られた２部屋の一方の部屋が明るく、他方の部屋が暗い場合に、明室側の部屋の明かりが透光部から暗室側の部屋に漏洩するため、暗室側の部屋において、その透光部位から引手の位置を容易に確認することができ、手探りによる引手の位置の確認を不要とし、襖の開放操作を容易とすることができる。
【図面の簡単な説明】
【００１７】
【図１】この発明に係る引手の第１の実施の形態を示す一部切欠正面図
【図２】図１の横断平面図
【図３】図１に示す引手の分解斜視図
【図４】この発明に係る引手の第２の実施の形態を示す一部切欠正面図
【図５】この発明に係る引手の第３の実施の形態を示す一部切欠正面図
【図６】この発明に係る引手の第４の実施の形態を示す横断平面図
【図７】この発明に係る引手の第５の実施の形態を示す横断平面図
【発明を実施するための形態】
【００１８】
以下、この発明の実施の形態を図面に基づいて説明する。図１乃至図３は、この発明に係る引手の第１の実施の形態を示す。図示のように、この発明に係る引手は、カバー１０、胴２０、化粧フランジ３０および防弦性を有する透光性シート４０の組み合わせからなる。
【００１９】
カバー１０は、底１１を有する円形筒部１２の開口端に外向きのフランジ１３を設けた金属板のプレス成形品からなり、その底１１には透光部としての孔１４が形成されている。
【００２０】
図示では、孔１４を円形とし、その複数の孔１４を底１１の中心部とその周りに円形の配置でもって等間隔に形成しているが、孔１４の数および形状は任意である。例えば、角形の孔を千鳥の配置でもって設けるようにしてもよく、あるいは、底１１に対して一つの孔１４を形成するようにしてもよい。
【００２１】
胴２０は、円筒形をなし、その一端に外向きのフランジ２１が形成された金属板のプレス成形品からなっている。この胴２０はカバー１０の筒部１２の内側に嵌合され、その胴２０およびカバー１０の筒部１２を突き破る筒状のバーリング２２の形成によってカバー１０に一体化されている。
【００２２】
化粧フランジ３０は、金属板のプレス成形品からなり、環状をなしている。この化粧フランジ３０は、胴２０の外側に嵌合され、カバー１０のフランジ１３と胴２０のフランジ２１によって内周部が表裏から挟持されている。
【００２３】
透光性シート４０は、繊維が混入された透明または半透明の樹脂シートからなり、厚さが数１０μｍ程度とされて腰を有している。この透光性シート４０はカバー１０における底１２の内表面に重ね合わされ、そのカバー１０内に嵌合された胴２０によって外周部が押えられている。
【００２４】
なお、透光性シート４０は、樹脂シートに限定されるものではなく、紙製のものであってもよい。
【００２５】
第１の実施の形態で示す引手は上記の構造からなり、その引手は、図２に示すように、二つの引手を一組とし、その一組の引手を襖１の表裏両面から、その襖１に形成された引手取付孔２内に嵌合し、バーリング２２に挿入する釘の打込みによって襖１に固定する。
【００２６】
この場合、一組の引手は、底１１に形成された孔１４が一致する取付けとする。その取付けにおいて、襖１で間仕切られた２部屋の一方の部屋が照明灯の点灯等によって明室とされ、他方の部屋が暗室とされていると、明室側の部屋の明かりが透光性シート４０および透光部としての孔１４から暗室側の部屋に漏洩する。このため、暗室側の部屋において、その透光部からの光の漏洩によって引手の位置を容易に確認することができる。その結果、手探りによる引手の位置の確認を不要とすることができ、襖１の汚損や破損を防止することができる。
【００２７】
また、孔１４を通して暗室側の部屋に採り入れられる光は透光性シート４０を通過する際に和らげられるため、上記孔１４からの入射光が目障りになるようなことはない。
【００２８】
図４は、この発明に係る引手の第２の実施の形態を示し、カバー１０、胴２０、化粧フランジ３０のそれぞれを楕円形状としている。また、図５は、この発明に係る引手の第３の実施の形態を示し、カバー１０、胴２０、化粧フランジ３０のそれぞれを角形としている。
【００２９】
第２の実施の形態で示すように、カバー１０を楕円形状とし、また、第３の実施の形態で示すように、カバー１０を角形とすると、引手を一定の向きとして取付けることができるため、その取付けによって孔１４が一致し、取付け時に、孔１４を一致させる作業を不要とし、一組の引手を簡単に取付けることができる。
【００３０】
第１の実施の形態で示す引手においては、カバー１０、胴２０および化粧フランジ３０からなるものを示したが、引手はこれに限定されるものではない。例えば、図６の第４の実施の形態で示すように、底１１を有する筒部１２の開口端に外向きのフランジ１３を設けたものであってもよい。この場合、透光性シート４０は、底１１の内表面に接着する。
【００３１】
また、図７の第５の実施の形態で示すように、底１１を有する筒部１２の開口端に外向きのフランジ１３を設けたカバー１０と、そのカバー１０の筒部１２の内側に嵌合され、その嵌合によって底１１の内表面に重ねた透光性シート４０の外周部を押さえるようにした胴２０とからなるものであってもよい。
【符号の説明】
【００３２】
１１    底
１２    筒部
１３    フランジ
１４    孔（透光部）
２０    胴
２１    フランジ
４０    透光性シート
【図１】
2011184921.tif 000003
【図２】
2011184921.tif 000004
【図３】
2011184921.tif 000005
【図４】
2011184921.tif 000006
【図５】
2011184921.tif 000007
【図６】
2011184921.tif 000008
【図７】
2011184921.tif 000009